(57)【要約】  腸の蠕動運動を腸の排出方向にまたは筋肉が血液循環方向と一致するように運動させて、人体の局所を蠕動的に押すことができる腸の蠕動運動を具現するための蠕動装置であって、指圧部材の長さを変化させて人体の局所周囲を横方向に同時に加圧し、前記指圧部材の長さの変化の順を蠕動的に作動させて、指圧力が局所の線周囲を上下左右方向に漸進的に移動して腸蠕動運動するように圧力を順次変化させることを特徴とする。
2013542806.tif 000002
【特許請求の範囲】
【請求項１】
指圧部材の長さを変化させて人体の局所周囲を加圧し、前記指圧部材の長さの変化の順を蠕動的に作動させて、指圧力が局所の線周囲を閉鎖したままで漸進的に移動しながら腸蠕動運動を行うことで、局所加圧の際に横断面の全体にわたって同時に作用するようにすることを特徴とする、腸の蠕動運動を具現するための蠕動装置。
【請求項２】
前記指圧部材を一層以上準備した後、それぞれの指圧部材の両側端に従動ギアを装着したハウジングを固定させ、モーターから駆動力を受ける原動ギアを前記従動ギアの間に離隔して配置するとともに垂直に入設させ、前記原動ギアと従動ギアの間にはクラッチ手段を設置し、前記クラッチ手段の前後動作によって原動ギアの動力を従動ギアに選択的に伝達することができるようにし、該当の従動ギアに動力が伝達される場合、該当の指圧部材をハウジングに巻き取って指圧部材の長さを変化させることにより、複数の従動ギアの順次作動によって一層以上の指圧部材の長さを段階別に順次変化させることにより、人体の局所を腸蠕動運動するように指圧するように構成されたことを特徴とする、請求項１に記載の腸の蠕動運動を具現するための蠕動装置。
【請求項３】
前記指圧部材に複数のパッドを結合させ、それぞれのパッドの表面にカムを密着して結合させ、垂直に配列された複数のカムを回転軸に一体的に結合し、前記回転軸にはギア比の異なる多段の減速ギアを設置し、ギア比の変化によってパッドが人体の局所周囲を水平に腸蠕動運動するように指圧する蠕動部をさらに含むことを特徴とする、請求項１に記載の腸の蠕動運動を具現するための蠕動装置。
【請求項４】
前記指圧部材を一層以上準備した後、それぞれの指圧部材の両端に従動ギアを装着したハウジングをそれぞれ固定させ、前記従動ギアにはモーターの回転軸に装着された原動ギアを噛み合わせ、一対のモーターが互いに逆回転することにより、該当の指圧部材をハウジングに巻き取って長さを変化させ、垂直に配列されたそれぞれのモーターが駆動して一層以上の従動ギアを順次作動させることで、人体の局所を腸蠕動運動するように指圧するように構成したことを特徴とする、請求項１に記載の腸の蠕動運動を具現するための蠕動装置。
【請求項５】
前記クラッチ手段は、従動ギアと原動ギアの間に連結ギアを伝動可能に連結し、前記連結ギアは電気的信号によって駆動される駆動体によって前後進させることで、原動ギアの動力を選択的に伝動することができるように構成したことを特徴とする、請求項２に記載の腸の蠕動運動を具現するための蠕動装置。
【請求項６】
前記蠕動部は、複数層の指圧部材にパッドを結合させ、前記パッドは複数備えて格子状に配列し、それぞれのパッドの後面にはカムを密着させて回転運動を直線往復運動に転換させるようにし、垂直に配列されるそれぞれのカムには回転軸を一体的に固定し、それぞれの回転軸に装着された多段の減速ギアは連結手段を介して伝動可能に連結され、モーターの回転ギアが連結手段に駆動力を伝達するように構成されたことを特徴とする、請求項３に記載の腸の蠕動運動を具現するための蠕動装置。
【請求項７】
前記減速ギアには電気的信号によって作動する動力体をさらに含み、減速ギアを上下に移動させて、テンション状態の連結手段に変速対象のギア比を持つ減速ギアを噛み合わせることで、複数が垂直に配列されたパッドを順次蠕動運動させるように構成したことを特徴とする、請求項６に記載の腸の蠕動運動を具現するための蠕動装置。
【請求項８】
前記回転軸は複数のユニバーサルジョイントによって連結されるように構成したことを特徴とする、請求項３に記載の腸の蠕動運動を具現するための蠕動装置。
【請求項９】
前記原動ギアと指圧部材を除いた蠕動部は人体の脊椎の湾曲形態と類似した形状を持つフレームの内部空間に設置されるように構成したことを特徴とする、請求項３に記載の腸の蠕動運動を具現するための蠕動装置。
【請求項１０】
前記指圧部材を除いた原動ギア、従動ギア、ハウジング、及びクラッチ手段は人体の脊椎の湾曲形態と類似した形状を持つフレームの内部空間に設置し、前記フレームの両側面の上下側面にガイドバーを横方向に回転可能に設置して、前記ガイドバーに回転軸を支持するように構成したことを特徴とする、請求項２または４に記載の腸の蠕動運動を具現するための蠕動装置。
【請求項１１】
前記蠕動装置には制御部をさらに含み、蠕動部による垂直及び水平方向への蠕動的な指圧の選択、指圧方向及び蠕動的な指圧速度をコントロールすることができるように構成したことを特徴とする、請求項２〜４のいずれか一項に記載の腸の蠕動運動を具現するための蠕動装置。
【請求項１２】
前記指圧部材の両側端のいずれか一方の端部に位置し垂直に配列された従動ギアには伝達ギアを噛み合わせるように構成したことを特徴とする、請求項２に記載の腸の蠕動運動を具現するための蠕動装置。
【発明の詳細な説明】
【技術分野】
【０００１】
本発明は腸の蠕動運動を具現するための蠕動装置に係り、より詳しくは人体の局所を腸の蠕動運動方式で蠕動するように圧力変化を加える腸の蠕動運動を具現するための蠕動装置に関する。
【背景技術】
【０００２】
現在、多くの人々が運動不足、過多な業務、不規則な食事などの影響で新陳代謝を円滑に成すことができないため、大腸疾患を含む各種の消化器疾患と腹部肥満が増大している実情である。
【０００３】
このような現代人の健康状態を改善するために、腹部マッサージ器具を提示して、特別な運動なしに腹部を刺激して胃や腸などの消化器官を運動させて血液循環を円滑にさせることで、胃や腸を丈夫にして消化力を向上させ、肥満の原因である腹部の脂肪質も減少させる。
【０００４】
このような従来技術の腹部マッサージ器具は、一般的に伝動モーターによって駆動される一対の回転ローラーが設置されて腹部マッサージを遂行する。この際、一定の長さの密着バンドが着脱式で付着し、前記密着バンドが弾力的に使用者の背中を包み、回転ローラーを使用者の腹部に密着させて身体に振動や打撃を加えて血液循環に役立てるとか筋肉を和らげるようになる。
【０００５】
しかし、前記のような振動や打撃を与えるマッサージ装置は使用者に痛みが誘発され、単に血液循環や筋肉の弛緩にだけ役立つ単純な効能のみであることが問題である。
【０００６】
これを解決するために、特許文献１においては、振動や打撃で刺激を与える代わりに、押圧板に突起を形成し、前記押圧板と腹部のねじり摩擦によって擦る効果を発揮する腹部マッサージ器を開示している。
【０００７】
ところで、前記腹部マッサージ器は、内部に偏心カムを備えて前記押圧板を回転させるが、モーターの駆動軸に対して軸線が傾斜を成すようにして押圧板と結合するように構成しているため、前記偏心カムの上側部に過多な力がかかって破損が発生するおそれが高いという問題点がある。
【先行技術文献】
【特許文献】
【０００８】
【特許文献１】大韓民国特許登録第４４６６７１号明細書
【発明の概要】
【発明が解決しようとする課題】
【０００９】
したがって、本発明の目的は、腸の蠕動運動を腸の排出方向にまたは筋肉が血液循環方向と一致するように運動させて、人体の局所を蠕動的に押すことができるようにすることにある。
【００１０】
また、本発明の目的は、人体の脂肪蓄積程度によって指圧力の変化を調節するか特定位置の局所に指圧力を集中させるようにすることにある。
【００１１】
さらに、本発明の目的は、人体の局所に腸の蠕動指圧運動を実現し、指圧方向及び運動方向を選択的に変化させることができるようにすることにある。
【００１２】
さらに、本発明の目的は、脂肪分解注射療法であるＰＰＣ注射療法と蠕動装置の指圧力を並行して人体の局所部位を美しく造形することができるようにすることにある。
【課題を解決するための手段】
【００１３】
前記のような目的を達成するために、本発明の腸の蠕動運動を具現するための蠕動装置は、ベルトの長さを変化させて人体の局所周囲を加圧し、前記ベルトの長さの変化の順を蠕動的に作動させて、指圧力が局所の線周囲を閉鎖したままで漸進的に移動しながら腸蠕動運動を行うことで、局所加圧の際に横断面の全体にわたって同時に作用するようにする。
【００１４】
本発明によれば、前記ベルトを一層以上準備した後、それぞれのベルトの両側端に従動ギアを装着したハウジングを固定させ、モーターから駆動力を受ける原動ギアを前記従動ギアの間に離隔して配置するとともに垂直に入設させ、前記原動ギアと従動ギアの間にはクラッチ手段を設置し、前記クラッチ手段の前後動作によって原動ギアの動力を従動ギアに選択的に伝達することができるようにし、該当の従動ギアに動力が伝達される場合、該当のベルトをハウジングに巻き取ってベルトの長さを変化させることにより、複数の従動ギアの順次作動によって一層以上のベルトの長さを段階別に順次変化させることにより、人体の局所を腸蠕動運動するように指圧するように構成される。
【００１５】
本発明によれば、前記ベルトに複数のパッドを結合させ、それぞれのパッドの表面にカムを密着して結合させ、垂直に配列された複数のカムを回転軸に一体的に結合し、前記回転軸にはギア比の異なる多段の減速ギアを設置し、ギア比の変化によってパッドが人体の局所周囲を水平に腸蠕動運動するように指圧する蠕動部をさらに含む。
【００１６】
本発明によれば、前記ベルトを一層以上準備した後、それぞれのベルトの両端に従動ギアを装着したハウジングをそれぞれ固定させ、前記従動ギアにはモーターの回転軸に装着された原動ギアを噛み合わせ、一対のモーターが互いに逆回転することにより、該当のベルトをハウジングに巻き取って長さを変化させ、垂直に配列されたそれぞれのモーターが駆動して一層以上の従動ギアを順次作動させることで、人体の局所を腸蠕動運動するように指圧するように構成する。
【００１７】
本発明によれば、前記クラッチ手段は、従動ギアと原動ギアの間に連結ギアを伝動可能に連結し、前記連結ギアは電気的信号によって駆動される駆動体によって前後進させることで、原動ギアの動力を選択的に伝動することができるように構成する。
【００１８】
本発明によれば、前記蠕動部は、複数層のベルトにパッドを結合させ、前記パッドは複数備えて格子状に配列し、それぞれのパッドの後面にはカムを密着させて回転運動を直線往復運動に転換させるようにし、垂直に配列されるそれぞれのカムには回転軸を一体的に固定し、それぞれの回転軸に装着された多段の減速ギアは連結手段を介して伝動可能に連結され、モーターの回転ギアが連結手段に駆動力を伝達するように構成する。
【００１９】
本発明によれば、前記減速ギアには電気的信号によって作動する動力体をさらに含み、減速ギアを上下に移動させて、テンション状態の連結手段に変速対象のギア比を持つ減速ギアを噛み合わせることで、複数が垂直に配列されたパッドを順次蠕動運動させるように構成する。
【００２０】
本発明によれば、前記回転軸は複数のユニバーサルジョイントによって連結されるように構成する。
【００２１】
本発明によれば、前記原動ギアとベルトを除いた蠕動部は人体の脊椎の湾曲形態と類似した形状を持つフレームの内部空間に設置されるように構成する。
【００２２】
本発明によれば、前記ベルトを除いた原動ギア、従動ギア、ハウジング、及びクラッチ手段は人体の脊椎の湾曲形態と類似した形状を持つフレームの内部空間に設置し、前記フレームの両側面の上下側面にガイドバーを横方向に回転可能に設置して、前記ガイドバーに回転軸を支持するように構成する。
【００２３】
本発明によれば、前記蠕動装置には制御部をさらに含み、蠕動部による垂直及び水平方向への蠕動的な指圧の選択、指圧方向及び蠕動的な指圧速度をコントロールすることができるように構成する。
【００２４】
本発明によれば、前記ベルトの両側端のいずれか一方の端部に位置し垂直に配列された従動ギアには伝達ギアを噛み合わせるように構成する。
【発明の効果】
【００２５】
前述したように、本発明の腸の蠕動運動を具現するための蠕動装置は、多層で水平に配列されたベルトと前記ベルトに結合された複数のパッドが垂直または水平方向に蠕動的に運動するようにして、人体の該当局所を腸が蠕動運動するように指圧することができるようにすることにより、指圧される人体のリンパ管を刺激して血液循環を向上させることで脂肪を燃焼してダイエット効果を得ることができ、腹部に着用する場合、腹内の臓器に刺激を与えるので、臓器の機能強化はもちろんのこと、老廃物や脂肪の排出に効果がある。
【００２６】
また、本発明の腸の蠕動運動を具現するための蠕動装置は、上下左右方向に指圧の蠕動運動方向を選択することができ、モーターの回転力によって指圧力を調節して、人体の脂肪蓄積程度によって指圧力を選択するようにする効果がある。
【００２７】
さらに、本発明の腸の蠕動運動を具現するための蠕動装置は、脂肪分解注射療法であるＰＰＣ注射療法と並行して蠕動装置の指圧力を用いて人体の局所部位を美しく造形することができる効果がある。
【図面の簡単な説明】
【００２８】
【図１】本発明の第１実施例を示す斜視図
【図２】本発明の第１実施例を示す部分拡大正面図
【図３】本発明の第１実施例を示す平断面図
【図４】本発明の第２実施例を示す斜視図
【図５】本発明の第２実施例を示す使用状態図
【図６】本発明の第２実施例の水平指圧手段を示す部分拡大正面図
【図７】本発明の第２実施例を示す平面図
【図８】本発明の第２実施例を示す部分拡大斜視図
【図９ａ】本発明のベルトの他の実施例を示す斜視図
【図９ｂ】本発明のベルトの他の実施例を示す斜視図
【図１０】本発明のベルトの他の実施例を示す平面図
【図１１】本発明の第３実施例を示す部分拡大正面図
【図１２】本発明の第３実施例を示す斜視図
【図１３】本発明の使用状態を示す構成図
【図１４】本発明の使用状態を示す構成図
【図１５】本発明の使用状態を示す構成図
【発明を実施するための形態】
【００２９】
以下、本発明の添付図面に基づいて本発明の好ましい実施例を詳細に説明する。
【実施例】
【００３０】
まず、図面において、同一の構成要素または部品はなるべく同一参照符号で示すことにする。本発明の説明において、関連の公知機能や構成についての具体的な説明は本発明の要旨をあいまいにしないようにするために省略する。
【００３１】
図１〜図３及び図９に示すように、本発明の腸の蠕動運動を具現するための蠕動装置は、一層以上で備えられた指圧部材２１０の長さを変化させて人体の局所周囲を加圧し、前記指圧部材２１０の長さ変化手順を蠕動的に作動させて、指圧力が局所の線周囲を漸進的に移動しながら腸蠕動運動するように指圧するようにする。
【００３２】
ここで、腸蠕動運動とは、膓の消化作用のために行われる蠕動運動を言うもので、前記本発明の蠕動装置は腸蠕動運動方式と同様な方法で動作する。
【００３３】
前記腸の蠕動運動を具現するための蠕動装置は、第１実施例、第２実施例、及び第３実施例からなる。
【００３４】
［第１実施例］
まず、図１〜図３に示すように、第１実施例の構成は下のようである。
【００３５】
前記蠕動装置１０は、垂直に立設されてモーター２２０から駆動力を受ける原動ギア１００の両側にハウジング２３１と一体的に結合した従動ギア２３０を対応して備える。そして、一対の従動ギア２３０を複数備えて垂直下方に順次配列する。
【００３６】
前記従動ギア２３０はクラッチ手段２４０によって伝動方式で連結され、前記ハウジング２３１に指圧部材２１０の両側を固定して、原動ギアから提供される動力がクラッチ手段２４０によって従動ギア２３０側に伝動されるか遮断されることで、ハウジング２３１に巻き取られる指圧部材２１０の長さを変化させることにより、指圧対象である人体の局所周囲を加圧する。
【００３７】
以下、前記第１実施例に提示されたように、指圧が垂直方向に蠕動運動で動作する蠕動部２００を垂直指圧手段２００ａという。
【００３８】
具体的には、前記従動ギア２３０は原動ギア１００の外周縁の両側に一対配置され、前記原動ギア１００に垂直方向に従動ギア２３０が複数対順次配置される。
【００３９】
そして、一対のハウジング２３１には指圧部材２１０の両側端がそれぞれ固定され、原動ギア１００の回転によって一対の従動ギア２３０が回転し、一対の従動ギア２３０のいずれか一方に伝達ギア２３２が噛み合せることより、一対の従動ギア２３０が同一方向に回転することができるようにする。
【００４０】
ここで、従動ギア２３０と原動ギア１００の間にはクラッチ手段２４０をさらに装着することで、原動ギア１００の回転力を従動ギア２３０側に選択的に伝動することができるようにする。
【００４１】
すなわち、クラッチ手段２４０は、従動ギア２３０と原動ギア１００の間に連結ギア２４２が噛み合い、前記連結ギア２４２は電気的信号によって駆動される駆動体２４１によって原動ギア１００と連結ギア２４２の間の伝動を遮断させるか連結する。
【００４２】
結局、電気的信号が印加される駆動体２４１の印加順に応じて、連結ギア２４２が駆動され該当の従動ギア２３０が指圧部材２１０を巻回させることにより、指圧部材２１０による垂直方向への蠕動運動が可能となる。
【００４３】
これは、一層以上の指圧部材が上部から下方にまたは下部から上方にまたは中心部分から上下方へなどの蠕動運動を可能とする。
【００４４】
さらに、原動ギア１００と指圧部材２１０を除いた蠕動部２００は人体の脊椎湾曲形態と類似した形状を持つフレーム１２０の内部空間に設置されるようにする。
【００４５】
図９ａに示すように、一個所の垂直指圧手段２００ａには複数の指圧部材が装着されることもできるようにする。
【００４６】
このような本発明の腸の蠕動運動を具現するための蠕動装置は、人体の脂肪が集中した局所に装着されて局所周囲を指圧し、前記指圧は段階的に順次の垂直蠕動運動として動作することができる。
【００４７】
このような蠕動装置１０を腹部に装着する場合、蠕動動作によって腹内の臓器に刺激を与えるので、臓器の機能強化はもちろんのこと、老廃物や脂肪の排出に効果的であり、簡単な方法で弾力的な腹部を維持することができる。
【００４８】
［第３実施例］
また、図１１または図１２に示すように、第３実施例の構成は下のようである。
【００４９】
前記指圧部材を一層以上で準備した後、各指圧部材の両端に従動ギアを装着したハウジングをそれぞれ固定させ、前記従動ギアにはモーターの回転軸に装着された原動ギアを噛み合わせることで、一対のモーターが相互逆回転することにより、該当の指圧部材をハウジングに巻き取って長さを変化させ、垂直に配列されたそれぞれのモーターが駆動して一層以上の従動ギアを順次作動させて人体の局所を腸蠕動運動するように指圧するようにする。
【００５０】
前記第３実施例は、モーターを駆動させ、原動ギアを介して直接従動ギアに動力を伝達することで、前記ハウジングの回転によって指圧部材を巻き取り、前記垂直に配列された複数のモーターを正逆回転させる動作を順次実行させて前記指圧部材の長さを増すか減じる変化を繰り返すことにより、前記指圧が段階的で順次の垂直蠕動運動で動作するようにする。
【００５１】
従って、第３実施例は第１実施例と同様な指圧運動が行える。
【００５２】
ここで、第１実施例及び第３実施例の指圧部材を除いた原動ギア、従動ギア、ハウジング、クラッチ手段は人体の脊椎の湾曲形態と類似した形状を持つフレームの内部空間に設置されるようにし、前記フレームの両側面の上下側面にガイドバーを横方向に回転可能に設置し、前記ガイドバーに回転軸を支持するように構成する。
【００５３】
また、前記フレームに結合されたガイドバーは後述する第２実施例にも適用可能である。
【００５４】
［第２実施例］
図４〜図８に示すように、本発明の腸の蠕動運動を具現するための蠕動装置の第２実施例を説明すれば下のようである。
【００５５】
まず、第２実施例は、水平方向への指圧ができるように蠕動部２００（以下、水平指圧手段２００ｂという）をさらに含む。
【００５６】
前記水平指圧手段２００ｂは、指圧部材２１０の表面に複数のパッド２５０を結合させ、それぞれのパッド２５０にカム２６０を密着して結合させる。
【００５７】
多層で垂直に配列された複数のカム２６０に回転軸２６１を結合して複数のカム２６０を一体的に蠕動させ、前記回転軸２６１の下端に多段の減速ギア２７０を設置することで、ギア比によってパッド２５０が人体の局所周囲を水平方向に蠕動して指圧する。
【００５８】
これは、多角形のカム２６０が回転して、カム２６０の周面の角部がパッド２５０を前方に押し付けて人体の局所を指圧し、格子状に配置された複数のパッド２５０が左側または右側方向に順次蠕動運動するようにする。
【００５９】
このために、水平指圧手段２００ｂは、複数層でなる指圧部材２１０にパッド２５０を結合させ、前記パッド２５０は複数で備えて格子状に配列させ、それぞれのパッド２５０の後面にはカム２６０を密着させることで、回転運動を直線往復運動に転換させる。
【００６０】
垂直に配列されるそれぞれのカム２６０には回転軸２６１を垂直に一体的に固定させた後、前記回転軸２６１に多段の減速ギア２７０を装着し、それぞれの減速ギア２７０に連結された連結手段２８０にモーター２９０の回転ギア２９１が駆動力を伝達するように構成する。
【００６１】
前記水平指圧手段２００ｂは、モーター２９０の駆動力が回転ギア２９１を介して減速手段に連結された連結手段２８０に伝達されて回転軸２６１を回転させる。
【００６２】
前記カム２６０は回転軸２６１を介して伝達される回転運動を直線往復運動に変換させてパッド２５０を前進させることで人体の局所を指圧させる。
【００６３】
そして、回転軸２６１には複数のユニバーサルジョイント２６２が連結されることにより、人体の局所にパッド２５０が密着するとき、前記パッド２５０に直立した状態の角度を持つカム２６０に回転力を容易に伝達するようにする。
【００６４】
さらに、水平指圧手段２００ｂは、複数のパッド２５０が左側、右側または中央から左右側に蠕動運動するようにする。
【００６５】
このために、前記減速ギア２７０には電気的信号によって作動する動力体２９２をさらに含み、減速ギア２７０を上下に移動させてテンションを持つ連結手段２８０に所定のギア比を持つ多段の減速ギア２７０と噛み合わせることで、複数が垂直に配列されたパッド２５０の順次蠕動運動を可能とする。
【００６６】
結局、電気的な信号を動力体２９２に印加して前記動力体２９２が上下に駆動し、前記動力体２９２に当たる多段の減速ギア２７０が連動して、該当のギア比を持つ減速ギア２７０に連結手段２８０が連結され、回転軸２６１に結合されたカム２６０を回転させることにより、水平方向への蠕動運動方向を選択することができる。
【００６７】
前記原動ギア１００と指圧部材２１０を除いた蠕動部２００は人体の脊椎の湾曲形態と類似した形状を持つフレーム１２０の内部空間に設置されるようにし、前記フレーム１２０の両側面には上下にガイドバー１２１を回転可能に設置し、前記ガイドバー１２１に回転軸２６１が支持されるようにする。
【００６８】
結局、第２実施例は垂直指圧手段２００ａ及び水平指圧手段２００ｂによって垂直及び水平方向への蠕動的な指圧が可能である。
【００６９】
前記のように、第１実施例、第２実施例及び第３実施例において、垂直指圧手段２００ａ及び水平指圧手段２００ｂは制御部３００によってコントロールされ、垂直及び水平方向への蠕動的な指圧の選択、指圧方向及び蠕動的な指圧速度をコントロールすることができる。
【００７０】
すなわち、垂直指圧手段２００ａ及び水平指圧手段２００ｂによる垂直及び水平方向への蠕動的な指圧の選択、指圧方向及び蠕動的な指圧速度をコントロールすることができる。
【００７１】
具体的に、垂直指圧手段によって、複数で備えられた指圧部材の長さを順次調節して垂直方向への腸蠕動運動ができるようにする。
【００７２】
さらに、制御部によってモーターの回転数及び回転方向を調節して指圧部材の長さを選択的に調節することができるので、腸蠕動運動の強弱及び指圧速度を調節することができる。
【００７３】
また、本発明の蠕動装置の他の実施例に提示された水平指圧手段によって水平及び垂直方向への腸蠕動運動ができるようにし、前記制御部によって指圧の強弱及び指圧速度を調節することができる。
【００７４】
また、図１０及び図１１に示すように、第１実施例、第２実施例、及び第３実施例の指圧部材にはベルクロファスナ２１１と指圧部材締結具２１２が適用される。
【００７５】
前記指圧部材２１０は３等分され、ベルクロファスナ２１１と指圧部材締結具２１２によって切断された指圧部材部位を連結することができるようにして、使用者がより手軽く蠕動装置を着用するようにする。
【００７６】
すなわち、ハウジング２３１にそれぞれ巻き取られている指圧部材２１０がフレーム１２０の外部に貫通して短い長さで露出するように備えられ、一対の指圧部材２１０の一方に位置する指圧部材２１０にはベルクロファスナ２１１を付着し、これに連結される指圧部材２１０にもベルクロファスナ２１１を付着することにより、使用者が蠕動装置１０を着用するとき、指圧部材の連結手段２１１によって手軽く蠕動装置１０を腹部に装着することができるようにする。
【００７７】
そして、指圧部材２１０の中央またはベルクロファスナ２１１が装着された指圧部材２１０の反対側に指圧部材締結具２１２で一対の指圧部材２１０をずれて重畳するように互いに連結することで、指圧部材２１０の引張によって指圧部材２１０の長さを任意的に調節することができるようにして、多様な使用者の身体条件に合わせて蠕動装置１０を装着することができるようにする。
【００７８】
図９ａに示すように、一個所の垂直指圧手段２００ａには複数の指圧部材が装着されることもできるようにする。
【００７９】
また、近年には、脂肪細胞壁を破壊して脂肪組職を分解するＰＰＣ（Ｐｈｏｓｐｈａｔｉｄｙｌ  Ｃｈｏｌｉｎｅ）の薬物使用が用いられている。
【００８０】
ＰＰＣは豆や豆腐に含有されたレシチンという物質であり、人体の細胞膜を構成するリン脂質成分によって局所的な脂肪を除去するのに広く使われる。
【００８１】
ＰＰＣを脂肪細胞に注入すれば、注入された周辺の脂肪細胞を破壊して脂肪層の減少をもたらす。破壊された脂肪細胞は体内リンパ器官を通じて排出され、また破壊された細胞部位にコラーゲンが生成され、皮膚が弾性的になるので、脂肪吸入手術よりもっと効果的なダイエット施術法として使われている。
【００８２】
このようなＰＰＣ注射療法は、人体の特定部位に注射して特定の局所部位の脂肪細胞のみを破壊して除去して局所部位のサイズ減少の効果を示すことができる。
【００８３】
ここで、ＰＰＣ注射療法の後、本発明の蠕動装置の指圧力を用いれば、局所部位が所望の形態を持つようになる。
【００８４】
すなわち、局所部位で脂肪細胞が適正量分解し、局所部位に残っている脂肪細胞を指圧させれば、人体の特定部位である腕、腰、腹部、太もも、こむらなどの人体ラインを任意に造形することができるので、ダイエットの効果とともに、人体の局所部位で美しい造形美を得ることができるようにする効果を提供することができる。
【００８５】
前記のように、本発明の腸の蠕動運動を具現するための蠕動装置によって大きくは二つの効果を得ることができる。
【００８６】
まず、セルライト（Ｃｅｌｌｕｌｉｔｅ）症状によって体内の局所に集中した毒性物質を除去する効果である。
【００８７】
すなわち、セルライトとは、皮膚細胞内で循環するリンパ液の流れが円滑でなくて組職間の間隙に停滞した現象のもので、肥満と類似した形態を示す現象である。
【００８８】
すなわち、身体が新陳代謝過程で排出しなければならない老廃物や毒性物質が結合織内の新陳代謝の低下によって体外に排泄されなくて脂肪細胞と一緒に固まった状態で組職に停滞する現象のもので、通常は小微粒子の大きさに固まっているが、ひどい場合にはその大きさが１０倍まで増える。
【００８９】
セルライトは、皮下脂肪組職の異常によって結合組織、特にムコ多糖（Ｍｕｃｏｐｏｌｙｓａｃｃｈａｒｉｄｅ、ＭＰＳ）の過重合（Ｈｙｐｅｒｐｏｌｙｍｅｒｉｚａｔｉｏｎ）によって結合組織を成している物質の過粘稠（Ｈｙｐｅｒｖｉｓｃｏｓｉｔｙ）、微小循環（Ｍｉｃｒｏｃｉｒｃｕｌａｔｉｏｎ）障害と言える。
【００９０】
セルライトの発生要因としては、内分泌系要因として思春期、姙娠期、産後、閉経にはホルモンの均衡が割れやすくてセルライトが生成する可能性が高くなる。特に、プロゲステロンが問題を引き起こし、このホルモンが女性の結合織を弱化させる。
【００９１】
また、副腎皮質ホルモンであるコルチゾールは上体の脂肪細胞を大きくし、コルレストロールとトリグリセリド（中性脂肪）を脂肪細胞に蓄積させる。
【００９２】
また、食餌療法として、消化及び吸収の障害と便秘によってセルライトが発生する。そして、神経学的要因として、カテコールアミンが二重メカニズムによって脂肪組職から脂肪の分解を調節する。この際、ベータ受容体によって刺激を行い、アルファ受容体によって抑制を行う。さらに、神経系に及ぶアドレナリン性効果は局所脂肪組職の微小循環系に間接的に作用して脂肪代謝に影響を及ぼす。
【００９３】
最後には、リンパシステムの機能低下要因として、エネルギーに燃焼しなかった余剰カロリーや化学的成分が組職内に停滞する場合にも肥満とセルライトの原因となり、体内のフィルターの役目をするリンパ管の機能が低下するので、老廃物及び体液の円滑な流れに障害が生じ、停滞するか脂肪細胞と結合して組職の浮腫をもたらす原因として作用する。
【００９４】
このようなセルライト症状を解消するために、図１３及び図１４で示すように、人体の部位である腕、太ももなどに装着して該当の局所周囲に垂直及び水平方向への腸蠕動運動である蠕動的な指圧を行って皮膚の軟調職の刺激及び弛緩を持続的に繰り返すことにより、該当の局所の血液循環が増加して細胞への栄養供給を増大させ、緊張、不安、及びストレスを減少させ、皮膚損傷を予防し、皮膚状態を維持させる。
【００９５】
また、血液と内分泌液の循環を促進し、硬直した筋肉を和らげ、骨格の異常を自然に校正し、自律神経を調節することができる。
【００９６】
そして、局所組職の脂肪組職を分解させるＰＰＣ（Ｐｈｏｓｐｈａｔｉｄｙｌ  Ｃｈｏｌｉｎｅ）薬物を投入した後、腸の蠕動運動を具現するための蠕動装置によって局所組職を腸蠕動運動で指圧すれば、人体の特定部位である腕、腰、腹部、太もも、こむらなどの人体ラインを任意に造形することができるので、ダイエットの効果とともに人体の局所部位に美しい造形美を得ることができる。
【００９７】
このように、蠕動運動を具現するための蠕動装置によって体形の補正を可能とし、局所に造形美を得ることができるようにする。
【００９８】
以上説明した本発明は前述した実施例及び添付図面によって限定されるのではなく、本発明の技術的思想を逸脱しない範囲内でさまざまな置換、変形及び変更が可能であるのは本発明が属する技術分野で通常の知識を持った者に明白であろう。
【符号の説明】
【００９９】
１０      蠕動装置
１００    原動ギア
１２０    フレーム
１２１    ガイドバー
２００    蠕動部
２００ａ  垂直指圧手段
２００ｂ  水平指圧手段
２１０    指圧部材
２２０    モーター
２３０    従動ギア
２３１    ハウジング
２３２    伝達ギア
２４０    クラッチ手段
２４１    動力体
２４２    連結ギア
２５０    パッド
２６０    カム
２６１    回転軸
２６２    ユニバーサルジョイント
２７０    減速ギア
２８０    連結手段
２９０    モーター
２９１    回転ギア
２９２    動力体
３００    制御部
【図１】
2013542806.tif 000003
【図２】
2013542806.tif 000004
【図３】
2013542806.tif 000005
【図４】
2013542806.tif 000006
【図５】
2013542806.tif 000007
【図６】
2013542806.tif 000008
【図７】
2013542806.tif 000009
【図８】
2013542806.tif 000010
【図９ａ】
2013542806.tif 000011
【図９ｂ】
2013542806.tif 000012
【図１０】
2013542806.tif 000013
【図１１】
2013542806.tif 000014
【図１２】
2013542806.tif 000015
【図１３】
2013542806.tif 000016
【図１４】
2013542806.tif 000017
【図１５】
2013542806.tif 000018
【国際調査報告】
2013542806.tif 000019
2013542806.tif 000020
2013542806.tif 000021
2013542806.tif 000022